(57)【特許請求の範囲】
【請求項１】
被押動部を有しており先羽根用駆動ばねによって回動されて先羽根群に露光作動を行わせる先羽根用駆動部材と、ばねを介在させて前記先羽根用駆動部材に取り付けられており先羽根用電磁石に吸着される鉄片部材と、被押動部を有しており後羽根用駆動ばねによって回動されて後羽根群に露光作動を行わせる後羽根用駆動部材と、ばねを介在させて前記後羽根用駆動部材に取り付けられており後羽根用電磁石に吸着される鉄片部材と、所定位置から回転することによって前記各被押動部を押し前記先羽根用駆動部材と後羽根用駆動部材とを前記各駆動ばねに抗してセット位置へ回動させるセット部材と、一方方向へのみ回転させることによって前記セット部材に前記各駆動部材のセット作動と前記所定位置への復帰作動を行わせるモータとを備えていることを特徴とするカメラ用フォーカルプレンシャッタ。
【請求項２】
前記セット部材が合成樹脂製であって、前記モータに連動するための歯車を成形加工によって一体的に形成していることを特徴とする請求項１に記載のカメラ用フォーカルプレンシャッタ。
【請求項３】
前記セット部材に、前記先羽根用駆動部材の被押動部を押す第１押動部と、前記後羽根用駆動部材の被押動部を押す第２押動部とが設けられていて、前記セット部材は、前記所定位置と、前記各鉄片部材を前記各電磁石に接触させた位置とで停止されるようにしたことを特徴とする請求項１又は２に記載のカメラ用フォーカルプレンシャッタ。
【請求項４】
前記第１押動部と第２押動部には、前記各被押動部に順に接触する第１カム面と第２カム面との二つのカム面が夫々に形成されていて、それらのカム面の形状は、前記セット部材が回転したとき、各第１カム面は前記各被押動部を押してゆき、各第２カム面は前記各被押動部から離れてゆくように形成されていることを特徴とする請求項３に記載のカメラ用フォーカルプレンシャッタ。
【請求項５】
前記セット部材に、前記先羽根用駆動部材の被押動部と前記後羽根用駆動部材の被押動部とを順に押す一つの押動部が設けられていて、前記セット部材は、少なくとも前記所定位置と、前記先羽根用駆動部材の鉄片部材を前記先羽根用電磁石に接触させた位置とで停止されるようにしたことを特徴とする請求項１又は２に記載のカメラ用フォーカルプレンシャッタ。
【請求項６】
前記セット部材が、前記後羽根用駆動部材の鉄片部材を前記後羽根用電磁石に接触させた位置でも停止可能であり、少なくとも前記先羽根用駆動部材が露光作動を開始した後は、前記後羽根用電磁石には通電されていないようにすることを可能にしたことを特徴とする請求項５に記載のカメラ用フォーカルプレンシャッタ。
【請求項７】
前記一つの押動部には、前記各被押動部に順に接触する第１カム面と第２カム面とが形成されていて、それらのカム面の形状は、前記セット部材が回転したとき、第１カム面は前記各被押動部を押してゆき、第２カム面は前記各被押動部から離れてゆくように形成されていることを特徴とする請求項５又は６に記載のカメラ用フォーカルプレンシャッタ。
【発明の詳細な説明】
【０００１】
【発明の属する技術分野】
本発明は、撮影に際し、先羽根群と後羽根群とを同一方向へ順次作動させ、両羽根群のスリット形成羽根同志によって形成されたスリットにより感光面を露光するようにしたカメラ用のフォーカルプレンシャッタに関する。
【０００２】
【従来の技術】
この種のフォーカルプレンシャッタの一例が、特開平９−１３３９４３号公報に開示されている。この従来例は、一般にはダイレクトタイプのフォーカルプレンシャッタと言われており、先羽根用駆動部材と後羽根用駆動部材とは、その露光作動開始位置においては、それらに設けた各鉄片部材が、先羽根用電磁石と後羽根用電磁石に吸着されていて、各電磁石が所定のタイミングで順次消磁されたとき、夫々の駆動ばねによって回動し、先羽根群と後羽根群に露光作動を行わせるタイプのものである。また、それらの二つの駆動部材は、それらの被押動部をセット部材の押動部に押されてセットされるようになっており、更に、そのセット部材は、セット時には自己の復帰ばねに抗して往動し、セット後はそのセット位置に留まっていて、次の撮影に際して、各電磁石が励磁され、上記した各鉄片部材を吸着した後、その復帰ばねによって復動するようになっている。
【０００３】
ところで、フォーカルプレンシャッタは、周知のように、ユニットとして製作されてからカメラ本体に取り付けられる。そのため、上記のようなセット部材の作動は、カメラ本体側の部材に連動して行われることになる。しかしながら、セット部材は、カメラ本体側の部材に連結されているわけではないから、カメラ本体側の部材の作動に完全に連動して作動するわけではなく、カメラ本体側の部材の往復作動の一部に連動して往復作動を行うわけである。従って、セット部材の復帰作動は、セット部材の一部が、シャッタユニットに設けられたストッパに当接することによって、停止されるようになっている。
【０００４】
また、最近のフォーカルプレンシャッタは、高速化の要求に応えるために、シャッタ羽根の軽量化が図られている。そのため、シャッタ羽根は薄型化され、且つ露光開口部を覆っているときの羽根相互間の重なりを最小限にしているので、極めて漏光が生じ易い構成になっている。そこで、そのような漏光対策として、カメラの不使用時においては、先羽根群と後羽根群の両方の羽根によって露光開口部を二重に覆うようにした、所謂二重遮光方式のフォーカルプレンシャッタが知られている。そして、その一例が実用新案登録第２５０５４１０号公報に開示されている。この公報に開示されているのは、上記したダイレクトタイプのフォーカルプレンシャッタとは異なり、一般に係止タイプのフォーカルプレンシャッタと言われているものであるが、二重遮光方式の構成については、両タイプ間に違いがあるわけではない。
【０００５】
この二重遮光方式の構成は、先羽根系は通常の構成をしているが、後羽根系は、後羽根用駆動部材が、後羽根用第１駆動部材と後羽根用第２駆動部材とに分割され、両者間には引っ張りばねが掛けられている。そして、後羽根用駆動ばねは後羽根用第１駆動部材を付勢し、後羽根群は後羽根用第２駆動部材に連結されている。また、セット作動時には、後羽根用第２駆動部材は、係止部材に係止されているため、先羽根用駆動部材と後羽根用第１駆動部材だけがセット位置まで作動される。そのため、露光作動終了後にセット作動が行われた段階では、露光開口部が、先羽根群と後羽根群とによって二重に覆われている。そして、次の撮影時に、セット部材が露光作動に先立って初期位置へ復帰する際、後羽根用第２駆動部材は、係止部材による係止を解かれ、後羽根用第１駆動部材との間に掛けられたばねの付勢力によってセット位置へ作動するようになっていて、露光作動に際しては、後羽根用第１駆動部材に押されて作動するようになっている。
【０００６】
また、撮影モードの一つにバルブ撮影がある。上記したように、ダイレクトタイプのフォーカルプレンシャッタの場合には、後羽根用駆動部材は、カメラのレリーズボタンが押された後、セット部材が初期位置へ復帰すると、以後は、露光作動（閉じ作動）を開始するまで、後羽根用電磁石の吸引力のみによって、露光作動開始位置に保持されている。そのため、このタイプのフォーカルプレンシャッタでバルブ撮影を行う場合には、先羽根群が露光作動（開き作動）を行って露光開口部を全開にした後も、レリーズボタンの押圧力が解かれるまでは、後羽根用電磁石に電流を供給し続けるようにしている。
【０００７】
【発明が解決しようとする課題】
従来のダイレクトタイプのフォーカルプレンシャッタは、上記のように構成されていることから、セット部材に掛けられた復帰ばねの付勢力が余り大きいと、セット部材がストッパに当接したときバウンドし、その直後に作動してくる先羽根用駆動部材の軌跡内にその一部を臨ませてしまうことがあった。また、そのようなことが生じないように、先羽根用駆動部材の作動開始のタイミングを遅らせると、シャッタチャンスを逸する可能性が大きくなり、しかも、連続撮影を行う場合には不利になってしまうという問題点があった。反対に、復帰ばねの付勢力が余り弱いと、セット部材が、カメラ側の部材の作動にスムーズに連動せず、セット部材が初期位置へ復帰しなかったり、復帰するのが遅れてしまうことがあった。即ち、カメラが不使用状態のときには、少なくとも先羽根用駆動部材はセット状態になっているため、セット部材の押動部は各駆動部材の被押動部と圧接状態になっている。そのため、余り長く放置しておくと、温度，湿度，埃等の影響を受け、接触部間に接着現象が生じてしまうからである。
【０００８】
また、このタイプのフォーカルプレンシャッタにおいては、セット作動時において、各駆動部材の鉄片部材を各電磁石に密着させる必要があるが、量産上、各鉄片部材を夫々の電磁石に同時に密着させるように製作することは不可能である。そのため、各鉄片部材は、圧縮ばねを介在させて取り付けられており、各駆動部材は、セット作動時に、各鉄片部材が各電磁石に密着した後も僅かに作動し、各圧縮ばねを圧縮させてから停止するようになっている。即ち、このときには、各駆動部材と各鉄片部材の相対関係が定常状態ではなくなっている。従って、露光作動に先立って、セット部材の各押動部が各被押動部から離れたとき、各駆動部材は、それらの各駆動ばねと各圧縮ばねとの付勢力によって、定常状態になるまで僅かに作動して停止する（この停止位置が露光作動開始位置）が、従来の構成では、電圧変動等によって電磁石の吸着力が充分でないと、この停止する瞬間に受ける力によって、各鉄片部材が各電磁石から離脱し、各駆動部材が露光作動を開始してしまうという事故を発生させることがあった。
【０００９】
更に、この種のフォーカルプレンシャッタを二重遮光方式に構成する場合、従来は、後羽根用駆動部材を二つに分割して、それらの間にばねを掛けたり、カメラの不使用状態において、それらの駆動部材の一方を露光作動終了位置に係止しておくための係止部材を設けたり、その係止をセット部材の初期位置への復帰作動に連動して解くようにする必要があるなど、部品点数が多くなって、構成が複雑になるという問題点があった。また、バルブ撮影を行えるようにした場合には、後羽根群に露光作動を行わせるまで、後羽根用電磁石に電流を供給し続ける必要があるため、電力の消耗が大きく、極めて問題であった。
【００１０】
本発明は、このような問題点を解決するためになされたものであり、その目的とするところは、構成が簡単で所定の露光作動が確実に得られるようにしたセット機構を有するダイレクトタイプのカメラ用フォーカルプレンシャッタを提供することである。
【００１１】
【課題を解決するための手段】
上記の目的を達成するために、本発明のカメラ用フォーカルプレンシャッタは、被押動部を有しており先羽根用駆動ばねによって回動されて先羽根群に露光作動を行わせる先羽根用駆動部材と、ばねを介在させて前記先羽根用駆動部材に取り付けられており先羽根用電磁石に吸着される鉄片部材と、被押動部を有しており後羽根用駆動ばねによって回動されて後羽根群に露光作動を行わせる後羽根用駆動部材と、ばねを介在させて前記後羽根用駆動部材に取り付けられており後羽根用電磁石に吸着される鉄片部材と、所定位置から回転することによって前記各被押動部を押し前記先羽根用駆動部材と後羽根用駆動部材とを前記各駆動ばねに抗してセット位置へ回動させるセット部材と、一方方向へのみ回転させることによって前記セット部材に前記各駆動部材のセット作動と前記所定位置への復帰作動を行わせるモータとを備えている。
また、本発明のカメラ用フォーカルプレンシャッタにおいては、好ましくは、前記セット部材が合成樹脂製であって、前記モータに連動するための歯車を成形加工によって一体的に形成しているようにする。
また、本発明のカメラ用フォーカルプレンシャッタにおいては、好ましくは、前記セット部材に、前記先羽根用駆動部材の被押動部を押す第１押動部と、前記後羽根用駆動部材の被押動部を押す第２押動部とが設けられていて、前記セット部材は、前記所定位置と、前記各鉄片部材を前記各電磁石に接触させた位置とで停止されるようにする。
その場合、好ましくは、前記第１押動部と第２押動部には、前記各被押動部に順に接触する第１カム面と第２カム面との二つのカム面が夫々に形成されていて、それらのカム面の形状は、前記セット部材が回転したとき、各第１カム面は前記各被押動部を押してゆき、各第２カム面は前記各被押動部から離れてゆくように形成されているようにする。
また、本発明のカメラ用フォーカルプレンシャッタにおいては、好ましくは、上記の場合と異なり、前記セット部材に、前記先羽根用駆動部材の被押動部と前記後羽根用駆動部材の被押動部とを順に押す一つの押動部が設けられていて、前記セット部材は、少なくとも前記所定位置と、前記先羽根用駆動部材の鉄片部材を前記先羽根用電磁石に接触させた位置とで停止されるようにする。
その場合、好ましくは、前記セット部材が、前記後羽根用駆動部材の鉄片部材を前記後羽根用電磁石に接触させた位置でも停止可能であり、少なくとも前記先羽根用駆動部材が露光作動を開始した後は、前記後羽根用電磁石には通電されていないようにすることを可能にする。
更に好ましくは、前記一つの押動部には、前記各被押動部に順に接触する第１カム面と第２カム面とが形成されていて、それらのカム面の形状は、前記セット部材が回転したとき、第１カム面は前記各被押動部を押してゆき、第２カム面は前記各被押動部から離れてゆくように形成されているいるようにする。
【００１２】
【発明の実施の形態】
本発明の実施の形態を、二つの実施例によって説明する。尚、図１〜図４は第１実施例を示し、図５〜図８は第２実施例を示したものであるが、二つの実施例に共通の部材，部位には、同じ符号を付けてある。
【００１３】
〔第１実施例〕
先ず、第１実施例の構成を図１及び図２を用いて説明する。シャッタ地板１の略中央部には、周知のようにして開口部１ａが形成されている。但し、図１においては開口部１ａから右側の構成は、本発明にとっては特に重要ではないので、図示を省略してある。また、図示していないが、周知のようにして、シャッタ地板１の背面側（カメラ内においてはフィルム側）には、順に中間板と補助地板が取り付けられていて、シャッタ地板１と中間板の間には先羽根群の羽根室が、中間板と補助地板の間には後羽根群の羽根室が形成されている。そして、それらの中間板と補助地板にも、開口部１ａと類似の形状をした開口部が形成されていて、それらの三つの開口部を重ね合わせることによって、光軸を中心とした長方形の露光開口が形成されている。
【００１４】
シャッタ地板１には、円弧状をした二つの孔１ｂ，１ｃが形成されており、それらの下端縁には、平面形状がＣ字状をしていて、ゴム等の弾力性のある材料で製作された周知の緩衝部材２，３が取り付けられている。また、シャッタ地板１の表面側には、軸１ｄ，１ｅ，１ｆが立設されており、それらの先端には、シャッタ地板１との間に所定の空間を空けて、支持板４が取り付けられている。そして、図示していないが、この支持板４の表面側には、周知のように、支持板４と重ねるようにして、プリント配線板が取り付けられている。
【００１５】
シャッタ地板１の表面側において、軸１ｄには先羽根用駆動部材５が回転可能に取り付けられており、図示していないが、周知のようにして先羽根用駆動ばねによって時計方向へ回転するように付勢されている。この先羽根用駆動部材５は合成樹脂製であって、作動ピン５ａ，被押動部５ｂ，取付部５ｃを有している。このうち、作動ピン５ａは、シャッタ地板１に形成されている円弧状の孔１ｂを貫通しており、その根元部は、Ｄ字状の断面をしていて、緩衝部材２に当接し得るようになっており、先端部は、小判状の断面をしていて、後述する先羽根群の主アームに形成された長孔に嵌合している。
【００１６】
また、先羽根用駆動部材５の被押動部５ｂは、円柱状をしていて、シャッタ地板１の表面側に向けて形成されている。更に、先羽根用駆動部材５の取付部５ｃには、鉄片部材６が取り付けられている。この鉄片部材６は、鉄片部６ａ，軸部６ｂ，鍔部６ｃから成り、軸部６ｂを取付部５ｃの孔に嵌合させ、軸部６ｂの軸方向に移動可能になっている。また、取付部５ｃと鉄片部材６の間には圧縮ばね７が介在し、鉄片部６ａを、取付部５ｃに形成された窪みから押し出すように付勢しているが、鍔部６ｃが取付部５ｃに接触し、抜け出さないようになっている。
【００１７】
シャッタ地板１の軸１ｅには、後羽根用駆動部材８が回転可能に取り付けられており、図示していない後羽根用駆動ばねによって時計方向へ回転するように付勢されている。この後羽根用駆動部材８も合成樹脂製であって、作動ピン８ａ，被押動部８ｂ，取付部８ｃを有している。このうち、作動ピン８ａは上記した作動ピン５ａと同じ形状をしていて、シャッタ地板１に形成された円弧状の孔１ｃを貫通し、その根元部は、緩衝部材３に当接し得るようになっており、先端部は、後述する後羽根群の主アームに形成された長孔に嵌合している。
【００１８】
また、この後羽根用駆動部材８の被押動部８ｂは、円柱状をしていて、上記した被押動部５ｂとは異なり、支持板４側に向けて形成されている。更に、この後羽根用駆動部材８の取付部８ｃには、鉄片部材９が取り付けられているが、その鉄片部材９の構成と取り付け方は、上記の鉄片部材６の場合と同じである。即ち、鉄片部材９は、鉄片部９ａ，軸部９ｂ，鍔部９ｃから成り、圧縮ばね１０の付勢力によって、鉄片部９ａが、取付部８ｃの窪みから押し出されるのを、鍔部９ｃが取付部８ｃに接触し、阻止している。
【００１９】
シャッタ地板１の軸１ｆには、セット部材１１が回転可能に嵌合されている。このセット部材１１も合成樹脂製であって、軸１ｆには、筒部１１Ａで嵌合しており、その筒部１１Ａのシャッタ地板１側にはセット板１１Ｂが形成され、支持板４側には歯車１１Ｃが形成されている。また、セット板１１Ｂは二つの押動部１１ａ，１１ｂを有していて、それらの押動部１１ａ，１１ｂには、夫々、二つのカム面１１ａ1 ，１１ａ2 及び１１ｂ1 ，１１ｂ2 が形成されている。そして、図面上では示していないが、二つの押動部１１ａ，１１ｂの板面は、シャッタ地板１の板面からの距離が互いに異なり、押動部１１ａの板面の方が、シャッタ地板１の板面から離れている。従って、実際には、セット部材１１が１回転しても、押動部１１ａは、被押動部５ｂには接し得るが被押動部８ｂには接し得ず、また、押動部１１ｂは、被押動部８ｂには接し得るが被押動部５ｂには接し得ないようになっている。
【００２０】
また、本実施例においては、カメラ本体側にモータ１２が取り付けられている。このモータ１２はエンコーダ付きモータであって、その出力軸１２ａには歯車１３が取り付けられており、その歯車１３は上記したセット部材１１の歯車１１Ｃに噛合している。尚、モータ１２は、その回転角度（停止位置）を高精度に制御することが可能であれば他のモータであってもよく、例えばステッピングモータであっても差し支えない。また、このモータ１２は、カメラ本体側ではなく、上記したプリント配線板に取り付けるようにしても差し支えない。
【００２１】
更に、シャッタ地板１と支持板４の間に配置されるようにして、支持板４には、先羽根用電磁石１４と後羽根用電磁石１５とが取り付けられている。夫々の電磁石１４，１５は、鉄芯１４ａ，１５ａと、ボビンに巻回されて鉄芯１４ａ，１５ａに嵌装されたコイル１４ｂ，１５ｂと、コイル１４ｂ，１５ｂの二つの端子ピン１４ｃ，１４ｄ及び１５ｃ，１５ｄとで構成されており、それらの四つの端子ピン１４ｃ，１４ｄ，１５ｃ，１５ｄは、支持板４と、その表面側に重ねて取り付けられているプリント配線板に設けられた夫々の孔を貫通し、プリント配線板の表面側で回路に接続されている。尚、先羽根用電磁石１４のコイル１４ｂは、セット部材１１のセット板１１Ｂと歯車１１Ｃの間に配置されている。
【００２２】
ここで、図２に示された先羽根群と後羽根群の構成について説明しておく。シャッタ地板１に立設された上記の軸１ｄ，１ｅは、シャッタ地板１を貫通しており、背面側に突き出た軸部１ｄ′，１ｅ′は細く形成されている。更に、シャッタ地板１の背面側には、軸１ｇ，１ｈが立設されている。本実施例における先羽根群は、主アーム１６，副アーム１７と、それらの長手方向に順に枢支された４枚の羽根で構成されており、主アーム１６は軸部１ｄ′に、副アーム１７は軸１ｇに枢着されている。後羽根群も、主アーム１８，副アーム１９と、それらの長手方向に順に枢支された４枚の羽根で構成されており、主アーム１８が軸部１ｅ′に、副アーム１９が軸１ｈに枢着されている。そして、夫々の主アーム１６，１８には長孔１６ａ，１８ａが形成されていて、上記したように図１に示した作動ピン５ａ，８ａが嵌合している。
【００２３】
次に、本実施例の作動を説明する。図１は、露光作動の終了直後の状態を示している。従って、各駆動部材５，８は、作動ピン５ａ，８ａが緩衝部材２，３に当接し、図示していない各駆動ばねの付勢力による時計方向への回転を阻止されている。また、作動ピン５ａ，８ａによって作動される各羽根群は、先羽根群の４枚の羽根が重畳されて、開口部１ａの下方位置に格納されており、後羽根群の４枚の羽根が展開状態となって開口部１ａを覆っている。更に、このとき、モータ１２には通電されていないが、セット部材１１は、モータ１２によって、確実に初期位置に保たれている。
【００２４】
露光作動が終了し、このような図１の状態になると、電流が供給されることによってモータ１２が回転し、歯車１３が反時計方向へ回転させられる。そのため、セット部材１１は、図１の初期位置から時計方向へ回転することになる。セット部材１１は、このような時計方向への回転において、先ず、押動部１１ａが被押動部５ｂを押し、先羽根用駆動部材５を図示していない先羽根用駆動ばねに抗して反時計方向へ回転させる。そのため、先羽根群は作動ピン５ａによって作動され、４枚の羽根は、図２に示した重畳状態から重なり量を減じつつ上方へ展開されていく。
【００２５】
そして、先羽根群のスリット形成羽根と後羽根群のスリット形成羽根との重なりが所定量になった段階で、押動部１１ｂが被押動部８ｂを押し、後羽根用駆動部材８を図示していない後羽根用駆動ばねに抗して反時計方向へ回転させ始める。そのため、後羽根群は、作動ピン８ａによって作動され、４枚の羽根は、図２に示した展開状態から重なり量を大きくしつつ上方へ重畳されていく。このようにして、先羽根群と後羽根群とが一緒に作動され、やがて先羽根群の４数の羽根が展開状態となって開口部１ａを覆った状態になると、各駆動部材５，８に設けられた鉄片部材６，９の鉄片部６ａ，９ａが、相前後して、各電磁石１４，１５の鉄芯１４ａ，１５ａに接触することになるが、その段階においては、既に、各駆動部材５，８の被押動部５ｂ，８ｂは、押動部１１ａ，１１ｂのカム面１１ａ1 ，１１ｂ1 に接触している。
【００２６】
周知のように、鉄片部６ａ，９ａの被吸着面が、鉄芯１４ａ，１５ａの吸着面に密着するまでのタイミングは、部品の精度や組立精度によって様々である。そのため、タイミングのズレがどのような場合であっても、二箇所の密着状態が確実に得られるようにするために、各駆動部材５，８は、上記の密着状態が得られた後も、被押動部５ｂ，８ｂがカム面１１ａ1 ，１１ｂ1 に押され、僅かながら回転され得るように設計されている。従って、密着後の回転によっては、圧縮ばね７，１０が圧縮されることになり、鉄片部材６，９の鍔部６ｃ，９ｃが各駆動部材５，８の取付部５ｃ，８ｃから離れ、軸部６ｂ，９ｂの一部が露出することになる。その段階でモータ１２の回転が停止した状態がセット状態であり、図３に示された状態である。
【００２７】
次の撮影に際して、カメラのレリーズボタンが押されると、その初期段階において、各電磁石１４，１５のコイル１４ｂ，１５ｂに電流が供給され、鉄芯１４ａ，１５ａに密着されていた鉄片部６ａ，９ａが、磁気的に吸着保持される。そして、その段階でモータ１２に電流が供給されると、歯車１３は反時計方向へ回転され、セット部材１１は時計方向へ回転する。そのため、各駆動部材５，８の被押動部５ｂ，８ｂには、カム面１１ａ2 ，１１ｂ2 が摺接するようになる。ところが、カム面１１ａ2 ，１１ｂ2 は、軸１ｆまでの距離が、反時計方向の位置になるほど小さくなるように形成されているため、このセット部材１１の回転によって、各駆動部材５，８は、それらの取付部５ｃ，８ｃが鉄片部材６，９の鍔部６ｃ，９ｃに接するまで、図示していない各駆動ばねの付勢力によって、時計方向へ徐々に回転することになる。
【００２８】
ところで、本実施例の構成とは異なり、カム面１１ａ2 ，１１ｂ2 が形成されておらず、セット部材１１が図３の状態から時計方向へ回転したとき、押動部１１ａ，１１ｂが被押動部５ｂ，８ｂから直ちに離れてしまうように構成されている場合には、その離れた瞬間に、各駆動部材５，８は、大きな駆動力を有する各駆動ばねの付勢力と、圧縮ばね７，１０の復元力とによって急速に回転し、それらの取付部５ｃ，８ｃが鉄片部材６，９の鍔部６ｃ，９ｃに、大きな力で衝突することになる。そのため、各電磁石１４，１５に印加される電圧変動等の要因によって各電磁石１４，１５の吸着力が弱くなっていると、各駆動部材５，８は、その状態で停止せず、鉄片部材６，９を電磁石１４，１５から離脱させ、露光作動を行ってしまうという事故が発生する。
【００２９】
しかし、本実施例の場合には、カム面１１ａ2 ，１１ｂ2 が形成されているので、各駆動部材５，８は、上記したようにそれらの取付部５ｃ，８ｃが鉄片部材６，９の鍔部６ｃ，９ｃに接するまで、時計方向へ徐々に回転する。そのため、取付部５ｃ，８ｃが鍔部６ｃ，９ｃに接したとき、鍔部６ｃ，９ｃに対して瞬間的に大きな衝撃を与えないため、その接触位置で確実に停止する。そのようにして停止した位置が、各駆動部材５，８の露光作動開始位置である。一方、セット部材１１は、その後も回転を続けるので、カム面１１ａ2 ，１１ｂ2 は被押動部５ｂ，８ｂから離れることになる。その状態が図４に示されている。モータ１２は、その後も回転を続け、セット部材１１が、図１に示した初期位置へ達した段階で停止する。
【００３０】
その後、自動焦点合わせ等の全ての準備作動が終了すると、その終了信号によって露光時間制御回路が働き、先ず、先羽根用電磁石１４のコイル１４ｂに対する通電を断つと共に露光秒時のカウントを開始する。それにより、鉄芯１４ａに、鉄片部材６の鉄片部６ａを吸着保持されていた先羽根用駆動部材５が、図示していない先羽根用駆動ばねの付勢力によって急速に時計方向へ回転する。そのため、先羽根群が作動ピン５ａによって作動される結果、４枚の羽根は、開口部１ａを覆っていた展開状態から下方へ作動され、隣接する羽根との相互の重なり量を大きくしつつ、開口部１ａを開放していく。そして、各羽根が重畳状態となって開口部１ａから完全に退いた後、作動ピン５ａが緩衝部材２に当接し、衝撃を吸収されて停止する。
【００３１】
先羽根群の露光作動が開始されてから所定の時間が経過すると、露光時間制御回路からの出力信号によって、今度は後羽根用電磁石１５のコイル１５ｂに対する通電が断たれる。そのため、後羽根用駆動部材８が、図示していない後羽根用駆動ばねの付勢力によって急速に時計方向へ回転され、作動ピン８ａによって後羽根群に露光作動を行わせる。この露光作動において、後羽根群の４枚の羽根は、開口部１ａの上方位置に格納されていた重畳状態から下方へ作動され、隣接する羽根との相互の重なり量を小さくしながら展開し、開口部１ａを閉鎖していく。そして、開口部１ａを完全に覆った段階において、作動ピン８ａが緩衝部材３に当接し、衝撃を吸収されて停止する。このような露光作動の終了直後の状態が図１に示された状態である。
【００３２】
このように、本実施例によれば、セット部材１１に対する、初期位置からセット位置への回転と、セット位置から初期位置への回転を、いずれもモータ１２の一方方向の回転のみで行っているので、モータの制御系が簡単になり、また、モータも比較的安価なもので良いことになる。また、このモータを上記したプリント配線板に取り付けるなど、シャッタユニット側に取り付けた場合には、カメラの組立時において、特にカメラ本体側の機構との機械的なインターフェイスを必要とせず、配線のみで済むから、組立作業が簡単になる。また、セット部材をセット位置から初期位置へ復帰させるのに、従来のように、ばねを用いていないため、セット部材が、復帰時にストッパに当接し、バウンドしたり振動を生じさせたりして、先羽根群の露光作動に影響を与えるようなことはない。更に、セット部材１１には、カム面１１ａ1 ，１１ｂ1 のほかにカム面１１ａ2 ，１１ｂ2 を形成しているので、上記したように、各駆動部材５，８の露光作動開始位置が、確実に得られる。
【００３３】
〔第２実施例〕
次に、図５〜図８を用いて第２実施例を説明する。尚、本実施例の構成は、上記した第１実施例の構成と殆ど同じであり、主にセット部材の構成が異なるだけであることから、他の部材，部位には、第１実施例の図１〜図４に用いた符号と同じ符号を付けてある。また、図２に示した各羽根群の構成は、本実施例においても適用される。従って、それらについての説明は省略する。本実施例におけるセット部材２１は、合成樹脂製であって、軸１ｆには、筒部２１Ａで回転可能に嵌合しており、その筒部２１Ａのシャッタ地板１側にはセット板２１Ｂが形成され、支持板４側には歯車２１Ｃが形成されている。また、セット板２１Ｂは押動部２１ａを有していて、その外周端面には、連続して二つのカム面２１ａ1 ，２１ａ2 が形成されている。更に、本実施例においては、後羽根用駆動部材８の被押動部８ｂがシャッタ地板１側に向けて形成されている。
【００３４】
そこで、本実施例の作動を説明するが、上記したように、本実施例の構成は第１実施例の構成と殆ど同じであることから、その作動においても共通する点が多い。従って、それらの共通する点については簡単に説明することにする。図５は、露光作動の終了直後の状態を示している。このとき、各駆動部材５，８の作動ピン５ａ，８ａは緩衝部材２，３に当接しており、先羽根群の４枚の羽根は重畳されて、開口部１ａの下方位置に格納されており、後羽根群の４枚の羽根が展開状態となって開口部１ａを覆っている。また、セット部材２１は、モータ１２が停止しているため、確実に初期位置に保たれている。
【００３５】
露光作動が終了し、このような図５の状態になると、直ちにモータ１２が回転し、歯車１３が反時計方向へ回転させられる。そのため、セット部材２１は、時計方向へ回転し、押動部２１ａが被押動部５ｂを押すことによって、先羽根用駆動部材５を図示していない先羽根用駆動ばねに抗して反時計方向へ回転させる。それによって、先羽根群は作動ピン５ａによって作動され、４枚の羽根は、重畳状態から重なり量を減じつつ上方へ展開していく。そして、先羽根群の４枚の羽根が展開状態となって開口部１ａを覆った状態になると、先羽根用駆動部材５の被押動部５ｂが押動部２１ａのカム面２１ａ1 に接触し、以後、先羽根用駆動部材５は、カム面２１ａ1 によって僅かに且つそれまでよりはゆっくりと回転させられる。
【００３６】
このような、カム面２１ａ1 による僅かな回転において、鉄片部材６の鉄片部６ａは先羽根用電磁石１４の鉄芯１４ａに密着させられ、その密着後の回転によっては、圧縮ばね７が圧縮され、鉄片部材６の鍔部６ｃが先羽根用駆動部材５の取付部５ｃから離れる。そして、そのようになった段階で、モータ１２の回転が停止し、セット部材２１と先羽根用駆動部材５の回転も停止する。その状態が図６に示されており、次の撮影が行われるまでは、この状態が維持される。従って、カメラの不使用時には、開口部１ａは、先羽根群の４枚の羽根と後羽根群の４枚の羽根によって二重に覆われていることになり、漏光対策上、極めて有効である。
【００３７】
次の撮影に際して、カメラのレリーズボタンが押されると、その初期段階において、各電磁石１４，１５のコイル１４ｂ，１５ｂに電流が供給される。そのため、鉄芯１４ａに密着されていた鉄片部６ａが、磁気的に吸着保持される。そして、その段階でモータ１２に電流が供給されると、歯車１３は更に反時計方向へ回転し、セット部材２１を時計方向へ回転させる。そのため、先羽根用駆動部材５の被押動部５ｂは、カム面２１ａ2 に摺接することになるが、カム面２１ａ2 は、その回転に伴って、軸１ｆまでの距離が徐々に小さくなるように形成されているため、このセット部材２１の回転によって、先羽根用駆動部材５は、取付部５ｃが鉄片部材６の鍔部６ｃに接するまで、先羽根用駆動ばねの付勢力と、圧縮ばね７の付勢力によって、時計方向へ徐々に回転されることになる。従って、急速に回転させられた場合のように、取付部５ｃが鍔部６ｃに当接する際、先羽根用電磁石１４の吸着力に抗して、鉄片部６ａを鉄芯１４ａから離してしまうようなことがない。
【００３８】
セット部材２１は、なおも時計方向へ回転すると、今度は押動部２１ａが被押動部８ｂを押し、後羽根用駆動部材８を図示していない後羽根用駆動ばねに抗して反時計方向へ回転させる。それにより、後羽根群は作動ピン８ａによって作動され、４枚の羽根は、開口部１ａを覆っていた展開状態から重なり量を大きくしつ上方へ重畳されていく。そして、後羽根群の４枚の羽根が開口部１ａから退避した状態になると、その後は、後羽根用駆動部材８の被押動部８ｂが押動部２１ａのカム面２１ａ1 に接触して押されることになる。
【００３９】
その後、鉄片部材９の鉄片部９ａが後羽根用電磁石１５の鉄芯１５ａに密着させられるが、そのときには、既に後羽根用電磁石１５のコイル１５ｂに通電されているので、鉄片部材９は、直ちに吸着保持されることになる。そして、後羽根用駆動部材８が、なおも回転させられると、圧縮ばね１０が圧縮されて、鉄片部材９の鍔部９ｃが後羽根用駆動部材８の取付部８ｃから離れた状態になる。その状態が図７に示されている。そして、この状態が、言わば、上記した第１実施例におけるセット状態に相当する。従って、この状態でモータ１２を停止させ、セット部材２１を一旦停止させてもかまわないが、本実施例の場合には、特に停止させる理由もないので、この段階ではモータ１２を停止させない。
【００４０】
セット部材２１が、図７の状態から更に回転を続けると、後羽根用駆動部材８の被押動部８ｂは、カム面２１ａ2 に摺接することになるが、上記した先羽根用駆動部材５の場合と同じようにして、取付部８ｃが鉄片部材９の鍔部９ｃに接するまでは、後羽根用駆動ばねの付勢力と、圧縮ばね１０の付勢力によって、時計方向へ徐々に回転されることになるから、取付部８ｃが鍔部９ｃに当接する際に大きな衝撃力を与えず、後羽根用電磁石１５の吸着力に抗して、鉄片部９ａを鉄芯１５ａから離してしまうようなことはない。その結果、後羽根用駆動部材８も、露光作動開始位置に確実に位置決めされたことになる。モータ１２は、その後も回転を続け、セット部材２１が、図５に示した初期位置へ復帰した段階で停止する。
【００４１】
上記のようにして、セット部材２１が、初期位置へ復帰した後、露光時間制御回路が働き、先ず、先羽根用電磁石１４への通電を断つので、先羽根用駆動部材５が、先羽根用駆動ばねの付勢力によって時計方向へ回転し、作動ピン５ａによって先羽根群を作動させる。その結果、先羽根群の４枚の羽根は、開口部１ａを覆っていた展開状態から開口部１ａを開放してゆき、重畳状態となって、開口部１ａの下方位置に格納される。先羽根群の露光作動が開始されてから所定の時間が経過すると、露光時間制御回路からの出力信号によって、後羽根用電磁石１５に対する通電が断たれ、後羽根用駆動部材８は、後羽根用駆動ばねの付勢力によって時計方向へ回転し、作動ピン８ａによって後羽根群を作動させる。その結果、後羽根群の４枚の羽根は、開口部１ａの上方位置に格納されていた重畳状態から下方へ展開されて行き、開口部１ａを完全に覆った状態で停止する。このような露光作動の終了直後の状態が図５に示された状態である。その後、モータ１２が回転され、既に説明した図６の状態で停止され、一回の撮影行程が終了したことになる。
【００４２】
本実施例は、このように構成されているので、第１実施例の場合よりも、バルブ（Ｂ）撮影を行う場合に有利である。即ち、第１実施例においてバルブ撮影を行う場合には、開口部１ａを全開状態にしている間、後羽根用電磁石１５に電流を供給し続けなければならないが、本実施例の場合には、その必要がない。そこで、次に、バルブ撮影を行う場合についての作動を説明するが、上記の作動説明と重複するところについては簡単に説明することにする。
【００４３】
周知のように、バルブ撮影の設定は、撮影前に行われる。従って、本実施例の場合には、図６に示した状態のときである。バルブ撮影の設定が行われた後、カメラのレリーズボタンが押されると、その初期段階において、各電磁石１４，１５のコイル１４ｂ，１５ｂに電流が供給される。そのため、鉄芯１４ａに密着されていた鉄片部６ａが、磁気的に吸着保持される。次に、モータ１２が回転されてセット部材２１が時計方向へ回転すると、押動部２１ａが先羽根用駆動部材５の被押動部５ｂから離れるが、上記したようにして、先羽根用駆動部材５は、露光作動開始位置に確実に保持されている。
【００４４】
セット部材２１は、時計方向への回転を続け、押動部２１ａが被押動部８ｂを押し、後羽根用駆動部材８を後羽根用駆動ばねに抗して反時計方向へ回転させる。それにより、後羽根群の複数の羽根は、開口部１ａを覆っていた展開状態から上方へ重畳されて行き、開口部１ａの上方位置に格納される。その過程において、後羽根用駆動部材８の被押動部８ｂが押動部２１ａのカム面２１ａ1 に接触して押され、鉄片部材９の鉄片部９ａが後羽根用電磁石１５の鉄芯１５ａに密着され、吸着保持される。そして、図７に示された状態になる。
【００４５】
バルブ撮影の場合には、この段階でモータ１２が停止し、それに伴ってセット部材２１の回転が停止する。そして、更に、その停止後、露光時間制御回路が働き、先羽根用電磁石１４への通電と後羽根用電磁石１５への通電を、同時に断つ。このとき、後羽根用駆動部材８は、その被押動部８ｂがセット部材２１の押動部２１ａに阻止されているので時計方向へ回転することができない。従って、後羽根用電磁石１５には通電していないにもかかわらず、後羽根群の複数の羽根は、開口部１ａから退避した格納状態を維持している。そのため、先羽根用駆動部材５のみが、先羽根用駆動ばねの付勢力によって時計方向へ回転し、作動ピン５ａによって先羽根群を作動させる。その結果、開口部１ａを全開にした状態での露光が続くことになる。その状態が図８に示されている。
【００４６】
所定の時間が経過し、レリーズボタンから指を離すと、その信号によってモータ１２が回転し、セット部材２１が時計方向へ回転する。そのため、後羽根用駆動部材８は、その被押動部８ｂとカム面２１ａ2 との摺接が解かれた後、後羽根用駆動ばねの付勢力によって時計方向へ回転し、作動ピン８ａによって後羽根群を作動させる。その結果、後羽根群の複数の羽根は、格納されていた重畳状態から下方へ展開されて行き、開口部１ａを完全に覆った状態で停止する。通常の場合、このような後羽根群の作動は、セット部材２１が図８の状態から図５に示した初期位置に達するまでに終了しているので、セット部材２１が初期位置に達しても、モータ１２は停止せず、図６の状態になって停止し、次の撮影に備えることになる。
【００４７】
尚、上記の通常撮影の場合の作動説明においては、セット部材２１が、図７の状態から初期位置（図５の位置）へ戻ってから、先羽根用電磁石１４への通電が断たれるように説明したが、後羽根駆動部材８の作動に影響しない範囲において、初期位置へ戻る前に、先羽根用電磁石１４への通電が断たれるようにしても差し支えない。その方が、シャッタチャンスを逸するおそれが少なくなる。また、バルブ撮影の場合の作動説明においては、先羽根用電磁石１４だけではなく後羽根用電磁石１５へも一旦通電し、先羽根用電磁石１４の通電を断つときに後羽根用電磁石１５への通電も断つように説明したが、後羽根用電磁石１５へは最初から通電しないようにしても良く、その方が省電力化にとって有利である。更に、バルブ撮影の場合の作動説明からも分かるように、回路の構成を多少変更するだけで、タイム（Ｔ）撮影も行えるようにすることができることは言うまでもない。
【００４８】
このように、本実施例によれば、第１実施例の場合と同様に、セット部材２１を、モータ１２によって一方方向へのみ回転させるので、モータの制御系が簡単になる。また、このモータをシャッタユニット側に取り付ければ、カメラの組立時における作業が簡単になる。また、セット部材を、ばねによって初期位置へ復帰させる従来例に比べ、ストッパに当接して生じるバウンドや振動によって、先羽根群の露光作動が影響されるようなこともない。更に、セット部材２１の押動部２１ａに、二つのカム面２１ａ1 ，２１ａ2 を形成しているので、各駆動部材５，８の露光作動開始位置が、確実に得られる。また、第１実施例に比較してセット部材２１の形状が簡単であるにもかかわらず、カメラの不使用時において、開口部１ａを、先羽根群と後羽根群とによって二重に覆うので、遮光効果が極めて優れている。更に、第１実施例に比較して、バルブ撮影やタイム撮影を、省電力で行えるようにすることが可能である。
【００４９】
【発明の効果】
上記のように、本発明においては、モータがセット部材を一方方向へ回転させることによって、セット部材が各駆動部材をセットし且つそれらの露光作動を可能にしているので、従来のように、セット部材が、セット作動時には復帰ばねの付勢力に抗して往動し、露光作動に先立ってはその付勢力によってストッパに当接するまで復動するようにしたものと比較して、バウンドや振動によって、先羽根群の露光作動に影響を受ける心配がない。また、モータも一方方向へ回転させるだけで良いから、制御系が簡単であり、また、このモータをシャッタユニット側に取り付けた場合には、カメラの組立時における作業が簡単になる。
また、セット部材の一つの押動部に、異なる方向へ傾斜した二つのカム面を形成し、それらを、セット部材の一方方向の回転によって、駆動部材の被押動部に順に接触し得るようにした場合には、各駆動部材の露光作動開始位置が確実に得られ、各駆動部材の露光作動が、所定の時機よりも早期に開始されてしまうようなことがない。
更に、セット部材は、押動部を一つだけ有していて、露光作動終了後は、次の撮影が行われるまで、先羽根用駆動部材をセットさせた状態で停止しているようにすると、極めて簡単な構成で二重遮光式のフォーカルプレンシャッタが得られる。また、その場合、セット部材が、後羽根用駆動部材のセット状態でも停止できるようにすると、省電力でバルブ撮影やタイム撮影が可能になる。
【図面の簡単な説明】
【図１】第１実施例の平面図であって、露光作動終了直後の状態を示したものである。
【図２】第１実施例に用いられる先羽根群と後羽根群の構成の一例を示した平面図であって、露光作動終了直後の状態を示したものである。
【図３】第１実施例の平面図であって、セット状態を示したものである。
【図４】第１実施例の平面図であって、露光作動開始直前の状態を示したものである。
【図５】第２実施例の平面図であって、露光作動終了直後の状態を示したものである。
【図６】第２実施例の平面図であって、先羽根群のみのセット状態（二重遮光状態）を示したものである。
【図７】第２実施例の平面図であって、先羽根群が露光作動開始位置にあって、後羽根群がセット位置にある状態を示したものである。
【図８】第２実施例の平面図であって、バルブ撮影中の状態を示したものである。
【符号の説明】
１                            シャッタ地板
１ａ                          開口部
１ｂ，１ｃ                    孔
１ｄ，１ｅ，１ｆ，１ｇ，１ｈ  軸
１ｄ′，１ｅ′，６ｂ，９ｂ    軸部
２，３                        緩衝部材
４                            支持板
５                            先羽根用駆動部材
５ａ，８ａ                    作動ピン
５ｂ，８ｂ                    被押動部
５ｃ，８ｃ                    取付部
６，９                        鉄片部材
６ａ，９ａ                    鉄片部
６ｃ，９ｃ                    鍔部
７，１０                      圧縮ばね
８                            後羽根用駆動部材
１１，２１                    セット部材
１１Ａ，２１Ａ                筒部
１１Ｂ，２１Ｂ                セット板
１１Ｃ，１３，２１Ｃ          歯車
１１ａ，１１ｂ，２１ａ        押動部
１１ａ1 ，１１ａ2 ，１１ｂ1 ，１１ｂ2 ，２１ａ1 ，２１ａ2   カム面
１２                          モータ
１４                          先羽根用電磁石
１４ａ，１５ａ                鉄芯
１４ｂ，１５ｂ                コイル
１４ｃ，１４ｄ，１５ｃ，１５ｄ  端子ピン
１５                          後羽根用電磁石
１６，１８                    主アーム
１６ａ，１８ａ                長孔
１７，１９                    副アーム
【図１】
0003913873.tif 000002
【図２】
0003913873.tif 000003
【図３】
0003913873.tif 000004
【図４】
0003913873.tif 000005
【図５】
0003913873.tif 000006
【図６】
0003913873.tif 000007
【図７】
0003913873.tif 000008
【図８】
0003913873.tif 000009